(57)【特許請求の範囲】
【請求項１】
釣用のソフトルアーであって、
本体部と、
各々が前記本体部の側面から突出し、前記ソフトルアーの進行方向に沿って並べて設けられると共に前記ソフトルアーの進行に伴う水流に応じて揺動する複数の脚部と、を備え、
前記複数の脚部に含まれる少なくとも１つの脚部は、前記本体部と接続する第１の部分が、前記進行方向の厚みよりも上下方向の厚みの方が薄くなるように形成されており、前記第１の部分よりも外側に位置する第２の部分が、前記進行方向の厚みよりも上下方向の厚みの方が厚くなるように形成されている、
ソフトルアー。
【請求項２】
前記少なくとも１つの脚部は、水流を受ける前方側の面が、前記進行方向に略直交する面に対して前記進行方向に傾斜するように設けられている請求項１に記載のソフトルアー。
【請求項３】
前記少なくとも１つの脚部は、前記第１の部分において、前記進行方向の長さよりも上下方向の長さの方が短い断面を有する板状部材が設けられている請求項１又は２に記載のソフトルアー。
【請求項４】
前記少なくとも１つの脚部の前記第１の部分の前記進行方向の前側及び／又は後側に、補強部材が設けられている請求項１ないし３何れかに記載のソフトルアー。
【請求項５】
前記複数の脚部は、前記本体部の一方の側面と他方の側面とに対称に設けられている請求項１ないし４何れかに記載のソフトルアー。
【発明の詳細な説明】
【技術分野】
【０００１】
本発明は、釣用のソフトルアーに関する。
【背景技術】
【０００２】
従来より、魚釣りに使用される疑似餌（ルアー）の一つとして、合成樹脂やゴム等の軟質材料により形成されるソフトルアーが存在する。ソフトルアーは、硬質材料により形成されるハードルアーと比較して、水流に応じた変形や微細な動作を実現し易いルアーであると言える。
【０００３】
また、ルアーを用いた釣りでは、リトリーブ中のルアーの動きを、活き餌の動きに出来るだけ近づけることが好ましい。そこで、例えば、日本国実用新案登録第３１８９４７３号公報に開示されているワーム型のソフトルアーでは、水流抵抗を受けて揺れ動く多数の揺動部位が本体部に設けられており、これにより、活き餌の動きに近い動作を実現し、対象魚に対する視覚的な刺激の増大を図っている。
【先行技術文献】
【特許文献】
【０００４】
【特許文献１】実用新案登録第３１８９４７３号公報
【発明の概要】
【発明が解決しようとする課題】
【０００５】
しかしながら、こうした揺動部位を有するソフトルアーにおいて、例えば、前後に隣接する揺動部位間の間隔が比較的狭い場合、又は、揺動部位の全長が比較的長い場合等には、揺動部位が前後方向に揺れ動くと、隣接する他の揺動部位の動きを阻害してしまうことがある。そして、揺動部位の動きが阻害されてしまうと対象魚に対する視覚的な刺激も低減してしまうから、こうした揺動部位間の動きの干渉を抑制することが望ましい。
【０００６】
本発明の実施形態は、前後方向に隣接する揺動部位間の動きの干渉が抑制されたソフトルアーを提供することを目的の一つとする。本発明の実施形態の他の目的は、本明細書全体を参照することにより明らかとなる。
【課題を解決するための手段】
【０００７】
本発明の一実施形態に係るソフトルアーは、釣用のソフトルアーであって、本体部と、各々が前記本体部の側面から突出し、前記ソフトルアーの進行方向に沿って並べて設けられると共に前記ソフトルアーの進行に伴う水流に応じて揺動する複数の脚部と、を備え、前記複数の脚部に含まれる少なくとも１つの脚部は、前記本体部と接続する第１の部分が、前記進行方向の厚みよりも上下方向の厚みの方が薄くなるように形成されており、前記第１の部分よりも外側に位置する第２の部分が、前記進行方向の厚みよりも上下方向の厚みの方が厚くなるように形成されている。
【発明の効果】
【０００８】
本発明の様々な実施形態によって、前後方向に隣接する揺動部位間の動きの干渉が抑制されたソフトルアーを提供することができる。
【図面の簡単な説明】
【０００９】
【図１】一実施形態に係るソフトルアー１０の斜視図。
【図２】一実施形態に係るソフトルアー１０の上面図。
【図３】一実施形態に係るソフトルアー１０の側面図。
【図４】一実施形態に係るソフトルアー１０の正面図。
【図５】他の実施形態に係るソフトルアーの脚部２０の断面図。
【図６】更に他の実施形態に係るソフトルアーの上面図。
【図７】更に他の実施形態に係るソフトルアーの上面図。
【発明を実施するための形態】
【００１０】
以下、本発明の様々な実施形態を適宜図面を参照して説明する。なお、図面における共通する構成要素には同一の参照符号が付されている。
【００１１】
図１は、本発明の一実施形態に係るソフトルアー１０の斜視図であり、図２は、同じくソフトルアー１０の上面図であり、図３は、同じくソフトルアー１０の側面図であり、図４は、同じくソフトルアー１０の正面図である。一実施形態におけるソフトルアー１０は、ワーム型のソフトルアーであり、図示するように、本体部１１と、本体部１１の側面から左右対称に突出するように設けられた複数の脚部２０と、を備える。ここで、ワーム型のソフトルアーは例示であって、本発明の実施形態において、軟質材料により形成される様々な種類のソフトルアーが適用され得る。
【００１２】
一実施形態におけるソフトルアー１０は、リトリーブ中において図１の矢印Ａが示す方向に進行する。以下、本明細書において単に「前方」及び「後方」という場合、この矢印Ａが示すソフトルアー１０の進行方向を基準とする。
【００１３】
一実施形態における本体部１１は、図１に示すように、略円柱形状の頭部１２と、頭部１２の進行方向後方に連続して形成される胴体部１４と、胴体部１４の進行方向後方に連続して形成されると共に先細りの略紐状の形状を有する尾部１６と、を有する。一実施形態においては、これらの頭部１２、胴体部１４、及び尾部１６が、合成樹脂やゴム等の軟質材料により、射出成形等の手法を用いて一体に形成されている。ここで、一実施形態における本体部１１の進行方向の長さは、例えば１０ｃｍ程度であり、例えば７−１３ｃｍの範囲にある。
【００１４】
胴体部１４は、図２に示すように、ソフトルアー１０の進行方向に略直交する左右方向の幅が、進行方向略中央に近づくほど広くなる形状を有している。また、胴体部１４は、図３に示すように、ソフトルアー１０の進行方向に略直交する上下方向の高さが、進行方向略中央に近づくほど高くなる形状を有している。このように、一実施形態における胴体部１４は、進行方向略中央が幅広で上方向に盛上がる形状を有する。
【００１５】
また、胴体部１４の外周面には、複数の円環状の凹部（溝、符号なし）が、ソフトルアーの進行方向に所定の間隔を空けて形成されており、同じく胴体部１４の下面には、ソフトルアーの進行方向に沿って延びる直線状の凸部（符号なし）が形成されている。また、尾部１６の先端には、略三角形状の針部（符号なし）が形成されている。
【００１６】
一実施形態における複数の脚部２０は、図示するように、前方から見て胴体部１４の右側の側面から突出する５つの右側脚部２０Ｒと、同じく胴体部１４の左側の側面から突出する５つの左側脚部２０Ｌと、によって構成されており、右側脚部２０Ｒ及び左側脚部２０Ｌは、左右対称の関係となるように設けられている。一実施形態において、脚部２０は、本体部１１と同じ合成樹脂やゴム等の軟質材料により形成されており、また、射出成形等の手法を用いて本体部１１と一体に形成されている。
【００１７】
右側脚部２０Ｒ及び左側脚部２０Ｌの各々は、図２、３に示すように、胴体部１４の右側側面及び左側側面の、進行方向略中央よりも前方側の下端部に、所定の間隔を空けて進行方向に沿って一列に並ぶように設けられた５つの脚部２０によって構成されている。一実施形態において、各脚部２０が突出して延びる方向は、図示するように、進行方向の前方に傾斜しており、この傾斜角度は、例えば、進行方向に略直交する左右方向を基準として０−４５°の範囲とすることが出来る。
【００１８】
一実施形態における複数の脚部２０は、進行方向の前方から見て略半円形状の（進行方向に略直交する断面が略半円形状の）相互に略相似する形状を有する。また、各脚部２０の進行方向（前後方向）の厚みは、図２に示すように、胴体部１４と接続する部分（付け根部分）から左右方向の略中央部分までは略一定であり、その後、外側先端部に向けて先細りとなっている（徐々に薄くなっている）。そして、進行方向の前方から見て略半円形状を有する各脚部２０は、胴体部１４と接続する部分においては、前後方向の厚み（例えば、図２のＴ１）よりも上下方向の厚み（例えば、図４のＴ２）の方が薄くなっており、また、左右方向の略中央部分においては、前後方向の厚み（例えば、図２のＴ１）よりも上下方向の厚み（例えば、図４のＴ３）の方が厚くなっている。
【００１９】
一実施形態における各脚部２０の前方側の面は、進行方向に対して略直交しており、水流の抵抗を受ける水流抵抗面として機能する。この脚部２０の水流抵抗面の大きさは、最も前方の脚部２０−１よりも、その後方に位置する２番目の脚部２０−２の方が大きく、この２番目の脚部２０−２よりも、その後方に位置する３番目の脚部２０−３の方が大きくなっている。また、３番目の脚部２０−３の後方に位置する４番目の脚部２０−４の水流抵抗面の大きさは、２番目の脚部２０−２と略同一であり、その後方に位置する５番目の脚部２０−５の水流抵抗面の大きさは、１番目の脚部２０−１と略同一である。従って、水流抵抗面の大きさは、３番目の脚部２０−３よりも、この後方に位置する４番目の脚部２０−４の方が小さく、この４番目の脚部２０−４よりも、この後方に位置する５番目の脚部２０−５の方が小さい。
【００２０】
ここで、一実施形態においては、複数の脚部２０は前方から見て略半円形状の相互に略相似する形状を有するから、水流抵抗面の大きさが大きいということは、左右方向の長さ（突出する方向の長さ）が長く、且つ、上下方向の幅（水流抵抗面における突出する方向に略直交する方向の幅）が長いということを意味する。ここで、一実施形態における脚部２０の左右方向の長さは、例えば５−２０ｍｍの範囲にあり、同じく上下方向の幅は、例えば、２−７ｍｍの範囲にある。
【００２１】
このように、一実施形態における複数の脚部２０は、前方から１番目から３番目までの脚部２０は、後方に行くに従って水流抵抗面の大きさが大きくなり（左右方向の長さ、及び、上下方向の幅が長くなり）、３番目から５番目までの脚部２０は、後方に行くに従って水流抵抗面の大きさが小さくなる（左右方向の長さ、及び、上下方向の幅が短くなる）ように構成されている。こうした構成によって、複数の脚部２０の左右方向端部（右側脚部２０Ｒの右方向端部、及び、左側脚部２０Ｌの左方向端部）によって画定される曲線、及び、上端部によって画定される曲線が、それぞれ山なりとなり、ソフトルアー１０全体の形状が流線型状に近づくことを実現している。
【００２２】
また、前方から１番目から３番目までの脚部２０−１、２０−２、及び、２０−３の水流抵抗面の大きさは、前方から後方に行くに従って大きくなるから、図４に示すように、２番目の脚部２０−２、及び、３番目の脚部２０−３の水流抵抗面は、その一部が、進行方向の前方から見て露出している。
【００２３】
また、図２に示すように、一実施形態における複数の脚部２０において、ソフトルアー１０の進行方向の厚みは、最も前方の脚部２０−１よりも、その後方に位置する２番目の脚部２０−２の方が厚く、この２番目の脚部２０−２よりも、その後方に位置する３番目の脚部２０−３の方が厚くなっている。また、３番目の脚部２０−３の後方に位置する４番目の脚部２０−４の進行方向の厚みは、２番目の脚部２０−２と略同一であり、その後方に位置する５番目の脚部２０−５の進行方向の厚みは、１番目の脚部２０−１と略同一である。従って、進行方向の厚みは、３番目の脚部２０−３よりも、この後方に位置する４番目の脚部２０−４の方が薄く、この４番目の脚部２０−４よりも、この後方に位置する５番目の脚部２０−５の方が薄い。
【００２４】
ここで、一実施形態においては、複数の脚部２０は同じ材料で形成されているから、厚みが厚いということは、強度が高いことを意味する。
【００２５】
次に、このように構成された一実施形態におけるソフトルアー１０のリトリーブ中の動きについて説明する。釣り人の操作に伴ってソフトルアー１０が水中を泳動すると、ソフトルアー１０の進行に伴う水流抵抗を水流抵抗面が受けて各脚部２０は揺動する。このとき、各脚部２０は、胴体部１４と接続する部分においては、前後方向の厚みよりも上下方向の厚みの方が薄くなっているから、この胴体部１４と接続する部分を支点とした上下方向の動きが促進される。従って、前後に隣接する他の脚部２０の動きが阻害され難い。また、こうした脚部２０が上下方向に揺動するソフトルアー１０は、実際のワームの動きに近い動きを実現し得る。さらに、各脚部２０は、左右方向の略中央部分においては、前後方向の厚みよりも上下方向の厚みの方が厚くなっているから、水流抵抗を十分に受け易い。
【００２６】
また、ソフトルアー１０のリトリーブ中において、水流抵抗面の大きさが大きく、左右方向の長さが長い脚部２０ほど、揺れ動く移動量が大きくなるため、前後に隣接する脚部２０の動きを阻害する恐れが生じ易い。しかしながら、一実施形態におけるソフトルアー１０は、水流抵抗面の大きさが大きく左右方向の長さが長い脚部２０ほど、進行方向の厚みが厚く強度が高くなっているから、揺れ動く移動量が抑制され、この結果、前後に隣接する他の脚部２０の動きがより一層阻害され難い。
【００２７】
また、ソフトルアー１０のリトリーブ中において、１番目の脚部２０−１によって水流が乱されるため、その後方の２番目以降の脚部２０は水流抵抗を受けにくい。しかしながら、一実施形態におけるソフトルアー１０は、２番目の脚部２０−２、及び、３番目の脚部２０−３の水流抵抗面の大きさが、その前方の脚部２０よりも大きく、水流抵抗面の一部が進行方向の前方から見て露出するように構成されているから、水流抵抗面の大きさが前方の脚部２０と同等であり水流抵抗面が前方から見て露出していない場合と比較して、水流抵抗を受けやすい。即ち、一実施形態におけるソフトルアー１０は、後方に位置する２番目の脚部２０−２、及び、３番目の脚部２０−３の動きが阻害され難い。
【００２８】
上述した一実施形態においては、各脚部２０の前方側の水流抵抗面が進行方向に略直交するように構成したが、本発明の他の実施形態においては、水流抵抗面が、進行方向に略直交する面に対して進行方向（前後方向）に傾斜するように、各脚部２０を設けることが出来る。図５はこの実施形態におけるソフトルアーの脚部２０の断面図である。この実施形態におけるソフトルアーの脚部２０は、図示するように、水流抵抗面が所定の角度（例えば、４０°）傾斜して上前方を向いている。このような構成によれば、水流抵抗を受けた脚部２０に対して下方向の力が作用し易くなるから、各脚部２０の上下方向の動きがより一層促進され得る。
【００２９】
また、本発明の更に他の実施形態においては、各脚部２０の上下方向の動きを促進するために、更なる変更が加えられ得る。例えば、各脚部２０の胴体部１４と接続する部分（付け根部分）に、進行方向の長さよりも上下方向の長さの方が短い断面を有する板状部材を設けることによって、各脚部２０の上下方向の動きが促進され得る。図６は、この実施形態におけるソフトルアーの上面図である。この実施形態におけるソフトルアーは、左右に対応する一組の脚部２０毎に上記断面を有する板状部材１１０が設けられており、この板状部材１１０は、胴体部１４の内部に埋め込まれ、その左右両端部が、左右両側の脚部２０の付け根部分（の内部）に達している。この実施形態におけるソフトルアーは、板状部材１１０によって各脚部２０の付け根部分の前後方向の動きが制限されて上下方向の動きが促進される。
【００３０】
また、例えば、各脚部２０の付け根部分の進行方向前後に補強部材を設けることによって、各脚部２０の上下方向の動きが促進され得る。図７は、この実施形態におけるソフトルアーの上面図である。この実施形態におけるソフトルアーは、前後に隣接する脚部２０の間において、胴体部１４の側面に略円柱状の補強部材１２０が設けられている。この補強部材１２０は、例えば、本体部１１及び脚部２０と同じ合成樹脂やゴム等の軟質材料により形成され、また、射出成型等の手法を用いて、本体部１１及び／又は脚部２０と一体に形成され得る。この実施形態におけるソフトルアーは、補強部材１２０によって各脚部２０の付け根部分の前後方向の動きが制限されて上下方向を動きが促進される。補強部材１２０は、各脚部２０の付け根部分の前後方向の動きを制限することができる限り、任意の形状をとることができる。
【００３１】
上述した一実施形態においては、ソフトルアー１０全体の流線型状を実現するために、複数の脚部２０は、前方から３番目から５番目までの脚部２０は、後方に行くに従って水流抵抗面の大きさが小さくなる（左右方向の長さ、及び、上下方向の幅が短くなる）ように構成したが、本発明の他の実施形態においては、３番目から５番目までの脚部２０についても、１番目から３番目までの脚部２０と同様に、後方に行くに従って水流抵抗面の大きさが大きくなるように構成され得る。この場合、４番目及び５番目の脚部２０を含む全ての脚部２０の水流抵抗面の一部が進行方向の前方から見て露出することになるから、複数の脚部２０の全ての脚部２０が水流抵抗を受けやすくなり、動きが阻害され難くなる。
【００３２】
上述した一実施形態においては、複数の脚部２０は、前方から見て略半円形状の相互に略相似する形状を有するように構成したが、本発明の他の実施形態においては、脚部２０を前方から見た形状は略半円形状に限られず、様々な形状とすることができるし、複数の脚部２０の形状は、相互に略相似する形状に限られない。例えば、複数の脚部２０について、水流抵抗面の上下方向の幅は略同一の長さとし、水流抵抗面の大きさが大きい脚部２０は、左右方向の長さのみが長くなるように構成しても良いし、又は、複数の脚部２０について、水流抵抗面の左右方向の長さは略同一の長さとし、水流抵抗面の大きさが大きい脚部２０は、上下方向の幅のみが長くなるように構成しても良い。
【００３３】
上述した一実施形態においては、前方の脚部２０よりも水流抵抗面の大きさが大きい後方の脚部２０（具体的には、２番目の脚部２０−２及び３番目の脚部２０−３）の水流抵抗面の一部が進行方向の前方からみて露出するように構成したが、本発明の他の実施形態においては、前方の脚部２０と水流抵抗面の大きさが同等、又は、より小さい後方の脚部２０の水流抵抗面の一部が進行方向の前方から見て露出するように構成され得る。例えば、脚部２０が突出して延びる方向に上下方向の傾斜を設け、この傾斜角度を、前後する脚部２０間で異なるようにすることによって、後方の脚部２０の水流抵抗面の少なくとも一部が進行方向の前方から見て露出するように構成することもできる。
【００３４】
上述した一実施形態においては、水流抵抗面の大きさが大きく左右方向の長さが長い脚部２０ほど、進行方向の厚みが厚く強度が高くなるように構成したが、本発明の他の実施形態においては、脚部２０の強度は、進行方向の厚みを厚くする方法以外の方法で高くされ得る。例えば、水流抵抗面の大きさが大きく左右方向の長さが長い脚部２０には、強度を補強する部材が設けられてその強度が高くなるように構成され、又は、強度の高い別の材料を用いて形成することによってその強度が高くなるように構成され得る。
【００３５】
以上説明した本発明の様々な実施形態におけるソフトルアー１０は、本体部１１と、各々が本体部１１の側面から突出し、ソフトルアー１０の進行方向に沿って並べて設けられると共にソフトルアー１０の進行に伴う水流に応じて揺動する複数の脚部２０と、を備え、複数の脚部２０に含まれる少なくとも１つの脚部２０は、本体部１１（胴体部１４）と接続する部分が、進行方向の厚みよりも上下方向の厚みの方が薄くなるように形成されており、これよりも外側に位置する左右方向の略中央部分が、進行方向の厚みよりも上下方向の厚みの方が厚くなるように形成されている。このように構成された脚部２０は、上下方向の動きが促進されるから、前後方向に隣接する脚部２０間の動きの干渉が抑制される。
【００３６】
本発明の実施形態は、上述した実施形態に限定されるものではなく、その要旨を逸脱しない範囲内で様々な変更が可能である。例えば、脚部２０の数及び配置は、上述した実施形態に限定されず、様々な変更が可能である。例えば、ソフトルアー１０の進行方向に沿って一列に並ぶ複数の脚部２０によって構成される脚部２０の「列」の数は、１、又は、３以上とすることも出来る。脚部２０の列を３以上とすることにより、対象魚とソフトルアー１０との位置関係に関わらず、複数の脚部２０の少なくとも一部が対象魚の視界に入り易くなる。
【符号の説明】
【００３７】
１０  ソフトルアー
１１  本体部
１２  頭部
１４  胴体部
１６  尾部
２０  脚部
２０Ｒ  右側脚部
２０Ｌ  左側脚部
【図１】
0006368286.tif 000002
【図２】
0006368286.tif 000003
【図３】
0006368286.tif 000004
【図４】
0006368286.tif 000005
【図５】
0006368286.tif 000006
【図６】
0006368286.tif 000007
【図７】
0006368286.tif 000008